【手続補正書】
【提出日】平成16年8月3日(2004.8.3)
【手続補正１】
【補正対象書類名】明細書
【補正対象項目名】発明の名称
【補正方法】変更
【補正の内容】
【発明の名称】ビデオ表示装置
【手続補正２】
【補正対象書類名】明細書
【補正対象項目名】特許請求の範囲
【補正方法】変更
【補正の内容】
【特許請求の範囲】
【請求項１】
フォーカスマスク色選択構体を用いた陰極線管と、
前記フォーカスマスク色選択構体に関連するブレークダウン現象に応答して、前記フォーカスマスク色選択構体に供給される電流の増加を感知する感知手段と、
前記電流の増加に応答するパルス波形を発生するパルス波形発生手段とから成る、ビデオ表示装置。
【請求項２】
前記感知手段が、前記フォーカスマスク色選択構体に結合される第１の巻線と、前記パルス波形発生手段に結合される第２の巻線とを有する変成器を具えている、請求項１記載のビデオ表示装置。
【請求項３】
前記変成器が、電流変成器から成る、請求項２記載のビデオ表示装置。
【請求項４】
前記変成器が、電圧変成器から成る、請求項２記載のビデオ表示装置。
【請求項５】
前記感知手段が、前記フォーカスマスク色選択構体に結合される入力と、前記パルス波形発生手段に結合される出力とを有するオプト・アイソレータを具えている、請求項１記載のビデオ表示装置。
【請求項６】
前記パルス波形発生手段が、単安定マルチバイブレータ回路から成る、請求項１記載のビデオ表示装置。
【請求項７】
前記単安定マルチバイブレータ回路が、再トリガ可能な動作モード用に構成されている、請求項６記載のビデオ表示装置。
【請求項８】
フォーカスマスク色選択構体を用いた陰極線管と、
前記フォーカスマスク色選択構体に関連するブレークダウン現象に応答して、前記フォーカスマスク色選択構体に供給される電流の増加を感知する感知手段と、
パルス波形を発生する単安定マルチバイブレータ回路と、
前記感知手段に応答して前記マルチバイブレータ回路をトリガするトリガ手段とから成る、ビデオ表示装置。
【請求項９】
前記トリガ手段が、半導体デバイスから成る、請求項８記載のビデオ表示装置。
【請求項１０】
前記半導体デバイスの伝導状態が、前記感知手段に応答する、請求項９記載のビデオ表示装置。
【請求項１１】
前記半導体デバイスが、トランジスタから成る、請求項９記載のビデオ表示装置。
【請求項１２】
前記半導体デバイスが、前記マルチバイブレータ回路に結合される出力を有する、請求項９記載のビデオ表示装置。
【請求項１３】
フォーカスマスク色選択構体を用いた陰極線管と、
前記フォーカスマスク色選択構体に関連するブレークダウン現象に応答して、前記フォーカスマスク色選択構体に供給される電流の増加を感知する感知手段と、
前記電流の増加に応答してパルス波形を発生するパルス波形発生手段と、
前記フォーカスマスク色選択構体内において生じる電圧変動および電流変動と前記ブレークダウン現象とを判別するために、前記感知手段を調べる検査手段とから成る、ビデオ表示装置。
【請求項１４】
前記検査手段が、調節可能な抵抗から成る、請求項１３記載のビデオ表示装置。
【請求項１５】
前記調節可能な抵抗が、ポテンシオメータから成る、請求項１４記載のビデオ表示装置。
【手続補正３】
【補正対象書類名】明細書
【補正対象項目名】０００６
【補正方法】変更
【補正の内容】
【０００６】
色選択構体を通過する電子がスクリーン上の関連する形式の光を発生する螢光体だけを励起することを確実にすると共に色選択構体の透過率を高めるための幾つかの技術が知られている。このような技術の１つでは、色選択構体の各開孔中に４重極静電レンズを形成する２層フォーカスマスク色選択構体を採用している。各４重極レンズは、この４重極レンズを通過する電子ビームをその４重極レンズから成る静電界の相対的な大きさと極性とに従って、ターゲット上で一方の横断方向に集束（フォーカス）し、これに直交する横断方向にデフォーカスする。フォーカスマスク構体を使用すると、約６０％を超える電子透過率が得られ、またフォーカスマスク構体は理論上１に近い最大透過率を有する。
【手続補正４】
【補正対象書類名】明細書
【補正対象項目名】００１０
【補正方法】変更
【補正の内容】
【００１０】
ここで説明する本発明を構成する第３の観点として、過渡的であり、局部的な短絡回路の発生が検出される。回路は、フォーカスマスク色選択構体を使用するＣＲＴ中のブレークダウン現象を速やかに判別する。このような回路は、例えば、変色バンド除去（修正）装置の一部として関連する消磁回路を作動させるために使われる。
【手続補正５】
【補正対象書類名】明細書
【補正対象項目名】００３０
【補正方法】変更
【補正の内容】
【００３０】
変色バンド除去（修正）装置２００のより優れた形式の解決法が図６にブロック図の形で示されている。フォーカスマスク構体１００の第１層１０は約２０ｋＶ乃至約３０ｋＶの間の値を示すアルタ電圧源に接続されている。第２の層３０はバイアス源２１０に結合されており、該バイアス源２１０は、通常の設計によるものでよいが、もしブレークダウン現象が生じたときに、第１層１０と第２層３０との間の適当なバイアス電圧を急速に回復するのに十分強力であることが好ましい。
【手続補正６】
【補正対象書類名】明細書
【補正対象項目名】００４７
【補正方法】変更
【補正の内容】
【００４７】
データ入力２４１における低論理“Ｌ”の補信号は、クロック入力２４３におけるトリガパルスの正方向への変化時にフリップフロップ２２４の反転出力２４２に転送される。現在での消磁制御回路２３０の好ましい実施例では、トリガパルス２４５はビデオ表示装置の垂直ブランキングパルス２４６から取り出されるという利点があり、それによって消磁動作はブレークダウン現象の検出後の次のブランキング期間まで遅延される。これによってビデオ表示装置の視聴者に迷惑をかけることなく変色バンドの異常を除去（修正）することができる。勿論ブレークダウン現象の検出時に直ちに消磁を行うことができるように消磁制御回路２３０を適当に除去あるいは省略することも可能なことは当業者には明らかである。
【手続補正７】
【補正対象書類名】明細書
【補正対象項目名】図面の簡単な説明
【補正方法】変更
【補正の内容】
【図面の簡単な説明】
【図１】
従来のフォーカスマスク形式の色選択構体を示す図である。
【図２】
フォーカスマスク色選択構体におけるブレークダウン現象を説明するのに有効な図である。
【図３】
フォーカスマスク色選択構体におけるブレークダウン現象を説明するのに有効な図である。
【図４】
フォーカスマスク色選択構体におけるブレークダウン現象を説明するのに有効な図である。
【図５】
フォーカスマスク色選択構体におけるブレークダウン現象を説明するのに有効な図である。
【図６】
本発明の装置による変色バンド除去（修正）装置をブロックの形式で示した図である。
【図７】
図６中のブロック図で示した回路成分を回路図の形で示した図である。
【図８】
図６中のブロック図で示した回路成分の部分を回路図の形で示した図である。
【図９】
図６中のブロック図で示した回路成分の部分を回路図の形で示した図である。
【図１０】
従来の共振消磁回路を示す図である。
【図１１】
図１０の消磁回路の動作を説明するのに有効な図である。
【符号の説明】
１００    フォーカスマスク構体
２００    変色バンド除去（修正）装置
２２０    ブレークダウン検出回路
２３０    消磁制御回路
２７０    消磁回路